(57)【要約】【課題】紛失・ちぎれを防止し、ユーザーが容易に開閉できるキャップ構造を提供する。【解決手段】キャップ１を筐体２、３に取り付けて開閉動作を行うことが可能なキャップ構造であって、キャップ１に、板状の弾性体で構成されてキャップ本体１ｄから突出する舌片部１ａと、筐体（第２の外筐体）３に係合する係合部としての爪部とが備えられ、舌片部１ａに長穴部１ｂが形成され、筐体３は、舌片部１ａを挿入するための切欠穴３ｂと、切欠穴３ｂの奥に配設され、長穴部１ｂに対して長穴部１ｂの長手方向に相対的に移動可能でかつ抜けない状態で挿入された抜止片３ｃと、キャップ１の爪部と係合してキャップ１を固定する被係合部とを備えている。そしてキャップ１を筐体２、３に対して閉じた状態では、抜止片３ｃが、長穴部１ｂに設けた突起部１ｃにより長穴部１ｂのキャップ本体１ｄ側の端部に固定される。【選択図】図１
2010238660.tif 000002
【特許請求の範囲】
【請求項１】
キャップを筐体に取り付けて開閉動作を行うことが可能なキャップ構造であって、
前記キャップに、キャップ本体と、板状の弾性体で構成されてキャップ本体から突出する舌片部と、筐体に係合する係合部とが備えられ、
前記舌片部に長穴部が形成され、前記筐体は、前記舌片部を挿入するための切欠穴と、前記切欠穴の奥に配設され、前記長穴部に対して長穴部の長手方向に相対的に移動可能でかつ抜けない状態で挿入された抜止片と、前記キャップの係合部と係合して前記キャップを固定する被係合部とを備えた
キャップ構造。
【請求項２】
前記キャップの長穴部に、前記抜止片に当接可能な状態で突出して、前記キャップが前記長穴部の長手方向に移動することを規制する突起部が形成されている
請求項１記載のキャップ構造。
【請求項３】
前記突起部が、前記キャップを前記筐体に対して閉じた状態で前記抜止片に当接して前記キャップが前記筐体から引き出される方向に移動することを規制する収納固定用位置に形成されている
請求項２記載のキャップ構造。
【発明の詳細な説明】
【技術分野】
【０００１】
本発明は、機器の外部端子を保護するために機器本体側に取り付けられて保持される外部端子のキャップ構造に関する。
【背景技術】
【０００２】
近年、多くの情報機器は、他の周辺機器や電源装置等とケーブルを介して接続して使用するために、外部機器接続用端子（以下、外部端子と称す）が設けられる。この種の機器では、通常、他の周辺機器等に接続されていないときに、埃の侵入を防止したり、外部の物と衝突した際の衝撃による損傷を防止したりする等の理由から外部端子を保護したいとの要求があり、そのために、キャップを外部端子に被せている。キャップには、外部端子を使用しているときに機器から完全に取り外すタイプと、キャップの一部が機器に固定または係止されて取り外せないようにされたタイプとがある。ビデオカメラや携帯電話等の携帯型の機器では、機器を使用しているときにキャップを紛失することを防止するために、後者、すなわちキャップが機器に固定される構造になっていることが多い。
【０００３】
従来のキャップ構造としては、例えば特許文献１のようなものがある。このような従来のキャップ構造は、フロントケースおよびリヤケースに切り欠き部を形成し、この切り欠き部の近傍にコネクタユニットを装着してコネクタを配置し、このコネクタを開閉するコネクタキャップを設けている。このコネクタキャップには、コネクタユニットに固定される固定部と、フロントケースおよびリヤケースの切り欠き部を開閉する薄板形状の板部と、この板部と固定部とを連結するとともに蝶番のように開閉動作させるために厚みを薄く形成したヒンジ部と、板部を閉めた状態にリヤケースの切り欠き部と係合してロックするツメ部とを一体に形成した構造となっている。キャップの固定部が、フロントケースとリヤケースとによりなるケース内でコネクタに固定されることで、前記ケースとコネクタとが別々に外れてしまうことを防止している。
【０００４】
外部端子に外部機器とのケーブル端子を接続するために、コネクタキャップを開ける際には、ツメ部をリヤケースの切り欠き部から外した後、薄肉のヒンジ部を局部的に大きな角度で屈曲させてコネクタキャップを大きめに回動させることでコネクタキャップを開けている。
【先行技術文献】
【特許文献】
【０００５】
【特許文献１】特開平１１−１９５４５０号公報
【発明の概要】
【発明が解決しようとする課題】
【０００６】
しかしながら、上記従来のキャップ構造では、キャップの一端に設けられた固定部がケースに完全に固定されており、かつ、ヒンジ部を大きく屈曲させるようにコネクタキャップを回動させる動作だけでコネクタキャップを開ける構造とされている。したがって、外部端子に外部機器からのケーブル端子を接続するために、キャップを開ける際には、キャップがケーブル端子あるいはケーブルと干渉するのを避けるべく、キャップの開閉動作を大きくしなければならなかった。この結果、厚みを薄く形成したヒンジ部に大きな負荷がかかって破れ、キャップのちぎれが発生するという問題点を有していた。
【０００７】
また、この問題点を改善すべく、ヒンジ部の厚みを大きく形成する（すなわち厚肉にする）と、キャップの開閉動作を行う際に、大きな力が必要となって、操作性が悪くなる難点があった。
【０００８】
本発明は上記従来の問題点や難点を解決するもので、紛失・ちぎれを防止すると共にユーザーが容易に開閉できるキャップ構造を提供することを目的とする。
【課題を解決するための手段】
【０００９】
この目的を達成するために本発明のキャップ構造は、キャップを筐体に取り付けて開閉動作を行うことが可能なキャップ構造であって、前記キャップに、キャップ本体と、板状の弾性体で構成されてキャップ本体から突出する舌片部と、筐体に係合する係合部とが備えられ、前記舌片部に長穴部が形成され、前記筐体は、舌片部を挿入するための切欠穴と、切欠穴の奥に配設され、前記長穴部に対して長穴部の長手方向に相対的に移動可能でかつ抜けない状態で挿入された抜止片と、前記キャップの係合部と係合して前記キャップを固定する被係合部とを備えたものである。
【００１０】
上記構成により、キャップの舌片部に形成した長穴部に、筐体の抜止片が挿入された状態で、キャップが筐体に組み付けられているので、キャップを開ける際には、前記キャップを回動させることで、キャップの舌片部を引き出して湾曲させながらキャップを開けることができる。このように、長穴部が形成されている舌片部を引き出しつつ湾曲させながら、キャップを開けることができるので、例え、舌片部を厚肉にしてもキャップを容易に開けることができる。
【００１１】
なお、前記キャップの長穴部に、前記抜止片に当接可能な状態で突出して、前記キャップが前記長穴部の長手方向に移動することを規制する突起部が形成されていると好適である。さらに、前記突起部が、前記キャップを前記筐体に対して回動して閉じることが可能な状態で前記抜止片に当接して、前記キャップが前記筐体から引き出される方向に移動することを規制する収納固定用位置に形成されているとより好適である。
【００１２】
この構成によれば、キャップを閉じる際に、キャップが閉じられるべき収納固定用位置まで押し込まれると、突起部が抜止片に当接して、一旦押し広げられるように変形した後、変形前の姿勢やこれに近い姿勢に戻ることになる。したがって、キャップが収納固定用位置まで押し込まれたことが、ユーザーに対してクリック感を与えることにより伝えることができる。
【発明の効果】
【００１３】
本発明のキャップ構造によれば、舌片部を厚肉にした場合でも、キャップを容易に開けることができて、ユーザーに対して良好な操作性を維持できると同時に、キャップのちぎれや抜けによる紛失を防止することができて信頼性を向上させることができる。
【００１４】
また、キャップが筐体から引き出される方向に移動することを規制する突起部を、キャップの長穴部に形成することで、キャップの収納固定用位置を特定することも可能となり、キャップを閉じるときに、キャップの収納固定用位置までキャップが押し込まれた際にクリック感を出すことができる。したがって、ユーザーはキャップが収納固定用位置まで押し込まれたことを知ることができて、利便性が向上する。
【図面の簡単な説明】
【００１５】
【図１】本実施の形態に係るキャップ構造の構成を示す分解斜視図
【図２Ａ】同キャップ構造のキャップの斜視図で、キャップを表面側（外側）から見た斜視図
【図２Ｂ】同キャップ構造のキャップの斜視図で、キャップを裏面側（内側）から見た斜視図
【図３】同キャップ構造の、キャップを閉めた状態の平面断面図
【図４】同キャップ構造の、キャップを閉めた状態におけるキャップと第２の外筐体とを裏面側（内側）から見た斜視図
【図５】同キャップ構造の、キャップの開閉動作を説明するための平面断面図で、キャップを閉めた状態から回動させて僅かに開け始めた状態
【図６】同キャップ構造の、キャップを引き出して開けている状態の平面断面図
【図７】同キャップ構造の、抜止片と突起部が嵌合する直前の状態のキャップの開閉動作を説明するための平面断面図
【図８】本実施の形態に係るキャップ機構を備えたビデオカメラの全体構成を示す斜視図
【図９】本実施の形態に係るキャップ機構を備えたビデオカメラにケーブル端子を接続した状態の全体構成を示す斜視図
【発明を実施するための形態】
【００１６】
以下、実施の形態について、図面を参照しながら説明する。本実施の形態のキャップ構造は、放送業務用ビデオカメラにおける外部端子のキャップ構造である。しかしながら、本実施の形態のキャップ構造はビデオカメラ以外の機器にも適用可能である。
【００１７】
図１は、本実施の形態に係るキャップ構造の構成を示す分解斜視図である。図１において、２は第１の外筐体、３は第２の外筐体で、これらの第１の外筐体２と第２の外筐体３とによりビデオカメラ本体の筐体を構成している。キャップ１は、第２の外筐体３に取り付けられ、外部端子（外部機器接続用端子）２ａを保護するためのカバーの役割を果たす。第１の外筐体２には、その内側に配置された外部端子２ａを外部に露出させるため、外部端子２ａと対向する位置に第１の端子差込穴２ｂが設けられている。言い換えると、第１の外筐体２に開口した第１の端子差込穴２ｂの内側に、キャップ１によって保護される対象である外部端子２ａが設けられている。
【００１８】
第２の外筐体３は、第１の外筐体２で覆う領域のうち、少なくとも第１の端子差込穴２ｂを覆う位置に取り付ける筐体である。第２の外筐体３は、第１の端子差込穴２ｂに対向する位置に、ちょうどキャップ１が嵌まり込む形状の凹部３ｅを備えている。なお、凹部３ｅは、周囲が壁部により完全に囲まれて窪んだ形状でもよいし、図１に示すように一部の壁部がない形状（滑らかに第２の外筐体３の端縁部に続く形状など）でもよい。凹部３ｅには、外部端子２ａおよび第１の端子差込穴２ｂに対向して開口した第２の端子差込穴３ａが設けられている。第２の外筐体３における第２の端子差込穴３ａの周りに形成されている内壁部には、キャップ１を係止した状態で固定するための被係合部３ｄを備えている（本実施の形態では２箇所の被係合部３ｄを備えているが、これに限るものではない）。なお、後述する図２Bなどに示すように、キャップ１の裏面には係合部としての爪部１ｅが設けられており、被係合部３ｄが爪部１ｅと係合することにより、キャップ１は第２の外筐体３に対して所定位置に固定される。また、第２の外筐体３の凹部３ｅに臨む内壁部には、第２の外筐体３の表面側から裏面側まで貫通し、キャップ１に設けられた舌片部１ａを通すための長穴状の切欠穴３ｂが設けられている。切欠穴３ｂの長辺方向の長さは、舌片部１ａの幅よりもわずかに長く、また短辺方向の長さは、舌片部１ａの厚みよりわずかに長くなっている。第２の外筐体３の裏面における切欠穴３ｂの近傍で、切欠穴３ｂに対して第２の端子差込穴３ａが設けられている箇所と反対側、すなわち切欠穴３ｂの奥には、裏面に突出した円柱形状の抜止片３ｃが設けられている。抜止片３ｃは、キャップ１を第２の外筐体３に組み付けたときに、キャップ１の長穴部１ｂに挿入される。また、抜止片３ｃは、第２の外筐体３を第１の外筐体２に対して組み付けたときに、その先端が第１の外筐体２に当接するような長さをもっており、抜止片３ｃにより、キャップ１が第２の外筐体３から抜け出て離脱することを防止している。なお、抜止片３ｃの先端と第１の外筐体２との間には隙間があってもよいが、その際の隙間は、キャップ１の舌片部１ａの厚みよりも小さくする。抜止片３ｃとキャップ１との関係については後述する。
【００１９】
図２A、図２Bは、本実施の形態に係るキャップ構造のキャップ１の斜視図である。図２Aは、キャップ１の表面側（外側）から見た斜視図であり、図２Bは裏面側（内側）から見た斜視図である。キャップ１は、外部端子２ａを保護するためのキャップ本体１ｄと、板状の舌片部１ａとを備えている。舌片部１ａは、平面視して略長方形の形状とされ、キャップ本体１ｄの厚み方向の下端、すなわちキャップ１を第２の外筐体３に組み付けたときに最も第２の外筐体３側になる位置から突出するように設けられている。キャップ１のうちの少なくとも舌片部１ａは、熱可塑性のエラストマーやゴム等の弾性体で構成されている。舌片部１ａには、この舌片部１ａの長手方向に沿う方向に長い長穴部１ｂが設けられている。長穴部１ｂが形成されている箇所の内周壁の一部には、キャップ本体１ｄ寄りの位置に対向して突出する一対の突起部１ｃが備えられている。突起部１ｃは、長穴部１ｂのキャップ本体１ｄ側の端部から、抜止片３ｃの直径とほぼ同じかわずかに短い距離だけ離れた位置に設けられている。なお、長穴部１ｂのうち、突起部１ｃよりもキャップ本体１ｄ寄りの部分を固定用穴部１ｂ２、他の部分を引き出し用穴部１ｂ１と呼ぶこととする。上述したように、キャップ本体１ｄの裏面には、キャップ本体１ｄを第２の外筐体３の凹部３ｅに嵌め込んだときに被係合部３ｄに係合する係合部としての爪部１ｅが、被係合部３ｄに対応して設けられている。
【００２０】
ビデオカメラの組み立て時には、まずキャップ１を第２の外筐体３に対して組み付けた後、第２の外筐体３を第１の外筐体１に対して組み付ける。キャップ１の第２の外筐体３への組み付けにあたっては、まずキャップ１の舌片部１ａを第２の筐体３の切欠穴３ｂに表面側から裏面側に向けて挿入する。このとき、例えば、第２の外筐体３を水平姿勢に保持した状態で、舌片部１ａを切欠穴３ｂに斜め縦向きに挿入すると、舌片部１ａを抜止片３ｃに干渉させずに挿入できる。次に、例えば、キャップ１を水平姿勢に回動させるなどして、第２の外筐体３の抜止片３ｃを、キャップ１の長穴部１ｂに挿入させる。このとき、抜止片３ｃが、キャップ１の長穴部１ｂにおける固定用穴部１ｂ２に嵌まり込むようにする。抜止片３ｃが固定用穴部１ｂ２に位置するときには、突起部１ｃが抜止片３ｃに当接して抜止片３ｃが固定用穴部１ｂ２側に嵌合することで抜止片３ｃが固定用穴部１ｂ２に固定（係止）される。また、この際、舌片部１ａは切欠穴３ｂに完全に挿入され、キャップ本体１ｄは、ちょうど凹部３ｅと対向する位置に位置決めされる。この状態でキャップ本体１ｄを第２の外筐体３に向かって押し込んで凹部３ｅに収めると、ちょうどキャップ本体１ｄの裏面の爪部１ｅが、第２の外筐体３の被係号部３ｄに係合し、これによりキャップ１は第２の外筐体３に係合された状態で固定される。この後、第２の外筐体３を第１の外筐体２にビス等で組み付けると、抜止片３ｃが第１の外筐体２と当接し、舌片部１ａが抜止片３ｃから脱落しない、すなわちキャップ１がビデオカメラの筐体から脱落しないようにすることができる。
【００２１】
図８は、本実施の形態に係るキャップ構造を備えたビデオカメラにおいて、キャップ１を閉じた状態を示す全体構成の斜視図である。図８中のＡ１方向がビデオカメラにおける前方、Ａ２方向が右方向、Ａ３方向が上方となる。上記の手順でキャップ１を組み付けた状態においては、図８に示すようにキャップ１を閉じた状態となっている。
【００２２】
図３は、キャップ１を閉めた状態におけるキャップ構造の平面断面図である。図３は、ビデオカメラを水平方向（Ａ１方向に沿った平面）、すなわち図８におけるＡ３軸に垂直な平面で切った断面図である。図４は、同キャップ構造の、キャップを閉めた状態におけるキャップと第２の外筐体とを裏面側（内側）から見た斜視図である。図３、図４に示すように、キャップ１を閉めた状態では、キャップ１の舌片部１ａは、第２の筐体３の切欠穴３ｂに対して前方から後方に向けて挿入されており、さらに第２の外筐体３の抜止片３ｃは、キャップ１の長穴部１ｂの固定用穴部１ｂ２に挿入されている。突起部１ｃは抜止片３ｃよりも後方に位置し、抜止片３ｃを固定用穴部１ｂ２に固定する役割を果たしている。
【００２３】
次に、キャップ１を開ける動作について説明する。キャップ本体１ｄの後端（キャップ本体１ｄと舌片部１ａとの接合部付近）を回動中心として、キャップ本体１ｄの前端を外側、すなわちＡ２方向に回動させ、キャップ本体１ｄを第２の外筐体３の凹部３ｅからわずかに浮かせるようにすると、キャップ本体１ｄの裏面の爪部１ｅと第２の外筐体３の被係合部３ｄとの係合状態が解除される。
【００２４】
図５は、同キャップ構造におけるキャップ１を閉めた状態から回動させて僅かに開け始めた状態、すなわち、爪部１ｅと被係合部３ｄとの係合が解除された直後の状態を示す平面断面図である。この状態からキャップ本体１ｄの前端をさらにＡ２方向に回動させると、キャップ本体１ｄの後端のうち厚み方向の上端の角が第２の外筐体３の凹部３ｅの壁部に当接して支点となり、てこの原理により舌片部１ａが切欠穴３ｂから引き出される。このとき突起部１ｃは抜止片３ｃを乗り越えてＡ１方向に引き出され、その結果、抜止片３ｃは切欠穴３ｂにおける引き出し部１ｂ１に位置するようになる。さらにキャップ本体１ｄを引き出しつつ回動させることにより、舌片部１ａが弾性変形によりたわみ、キャップ１を開けた状態とすることができる。
【００２５】
図６は、同キャップ構造の、キャップ１を引き出して開けた状態の平面断面図である。キャップ１を完全に引き出した状態では、抜止片３ｃは長穴部１ｂにおける引き出し用穴部１ｂ１のうち最もキャップ本体１ｄから遠いところに位置しているが、抜止片３ｃが第１の外筐体２に当接していることからキャップ１が完全に切欠穴３ｂから抜けてしまうことはない。
【００２６】
図９は、本実施の形態に係るキャップ機構を備えたビデオカメラにおいてキャップ１を開き、ケーブル端子４を外部端子２ａに接続した状態の全体構成を示す斜視図である。図９に示すように、外部端子２ａに外部機器からのケーブル端子４を接続するときには、ケーブル端子４あるいはケーブル（図示せず）と干渉しない位置までキャップ１を引き出す。このように、弾性体である舌片部１ａを引き出した状態で弾性変形させてたわませることによりキャップ１を大きく開くことができ、外部端子２ａにケーブル端子４を容易に接続して使用することができる。
【００２７】
次に、キャップ１を閉める動作について説明する。図９に示すように、キャップ１を開けた状態からケーブル端子４を取り外してキャップ１を放置すると、弾性変形していた舌片部１ａが元の形状に戻る。
【００２８】
図７は、キャップ１を閉めるときに抜止片３ｃが突起部１ｃを乗り越えて嵌合する直前の状態の平面断面図である。キャップ１を閉めていくとき、たわませていた舌片部１ａが自然に元の状態（真直ぐな状態）に戻ることで図７に示すような状態となる。このとき、突起部１ｃは抜止片３ｃの手前側、すなわち抜止片３ｃに対してＡ１方向（Ａ１軸の正方向）に位置しており、抜止片３ｃは引き出し用穴部１ｂ１に位置している。この状態から舌片部１ａを切欠穴３ｂの奥に向かって押し込むようにキャップ本体１ｄを押し込むと、舌片部１ａの長穴部１ｂが外側に弾性変形することにより突起部１ｃが抜止片３ｃを乗り越えて奥側、すなわち抜止片３ｃに対してＡ１軸の負方向に移動する。その結果、抜止片３ｃは固定用穴部１ｂ２に位置し（図５参照）、抜止片３ｃが突起部１ｃにより長穴部１ｂのキャップ本体１ｄ側の端部に係止された状態で固定されることになる。
【００２９】
キャップ１を閉めるときに抜止片３ｃと突起部１ｃとが嵌合した直後の状態は、さきほど示した図５の状態の通りとなる。図７に示す状態から図５に示す状態に移るときには、突起部１ｃが抜止片３ｃと接触し乗り越えて嵌合する際に、クリック感と吸い込み感が発生する。このように抜止片３ｃは、長穴部１ｂに沿ってキャップ１の動きを案内し、キャップ１を閉じるときに突起部１ｃと接触することでクリック感を発生させ、キャップ１を閉めたときに突起部１ｃと嵌合して長穴部１ｂの固定用穴部１ｂ２に固定（係止）される。
【００３０】
最後に図５に示す状態からキャップ本体１ｄを第２の外筐体３側（Ａ２軸の負方向）に向かって押し込んで凹部３ｅに収めると、キャップ本体１ｄの裏面の爪部１ｅが、第２の外筐体３の被係号部３ｄに係合し、これによりキャップ１は第２の外筐体３に係合された状態で固定され、図３に示すようなキャップ１が閉じた状態となる。このとき、抜止片３ｃは引き続き、突起部１ｃにより長穴部１ｂのキャップ本体１ｄ側の端部に係合（固定）されている。
【００３１】
以上のような構成にすることで、部品構成が少なく、組み立て時にはまず第２の外筐体３とキャップ１とが閉じた状態で固定されるため、キャップ１を第２の外筐体３に組み込んでから、第２の外筐体３を第１の外筐体２に組み込むことができ、組み立てが容易になるという効果がある。
【００３２】
また、キャップ１の舌片部１ａの長穴部１ｂに、第２の外筐体３の抜止片３ｃが挿入されて、第２の外筐体３の抜止片３ｃに対して、キャップ１を長穴部１ｂに沿って移動可能な状態で係合された構造であり、キャップ１を少し開けると、キャップ１が第２の外筐体３に対して自由に移動できる領域が大きいので、キャップ１の舌片部１ａを局部的に大きく曲げるなどしなくても、キャップ１を開ける際にキャップ１の姿勢を容易に変更できる。したがって、キャップ１の舌片部１ａを厚肉にしてもキャップ１を容易かつ良好に開けることができる。つまり、キャップ１を開けたときにたわむ舌片部１ａを厚肉にしても、キャップ１の開動作に支障をきたすことがないので、舌片部１ａを厚肉にすることで、ヒンジを用いた従来のキャップ構造の場合と比較して、開閉動作を繰り返したことによるヒンジ部の破断等がなく、ちぎれを防止することができて、キャップ構造として良好な信頼性を得ることができる。また、クリック感を発生させる突起部１ｃの部分も含めて厚肉にできるので磨耗しにくく、継続使用してもクリック感が損なわれない。
【００３３】
また、ユーザーがキャップ１を開ける場合に、キャップを引き出してから回動させるのではなくてＡ３方向の回動動作のみのワンアクションにより、キャップ１の舌片部１ａがたわみ、突起部１ｃと抜止片３ｃの嵌合代が少なくなり、抵抗なくキャップ１を引き出して開けることができるため、ユーザーのキャップ開操作を容易にしている。また、キャップ１を閉める場合は、舌片部１ａを第２の外筐体３へ押し込む負のＡ１方向への移動動作により、突起部１ｃのクリック感を発生させることでキャップ１が閉められたことを確認でき、またキャップ本体１ｄの位置決めも確実になるため、ユーザーがキャップ１を無理に閉めすぎてキャップ１に無理な負荷がかかることを防止できる効果もある。
【００３４】
なお、本実施の形態では第２の外筐体３が外部端子２ａを覆う形状であるとしたが、第２の外筐体３が外部端子２ａを覆っている必要はなく、少なくとも抜止片３ｃと切欠穴３ｂとを備え、後述するように何らかの方法でキャップ１を係止することができればよい。
【００３５】
また、本実施の形態では抜止片３ｃから舌片部１ａが抜けることを防止するために、抜止片３ｃと第１の外筐体２とを当接させる構成としたが、抜止片３ｃを舌片部１ａの長穴部１ｂに挿入した後で、抜止片３ｃに対して抜け止めのための部材を取り付けるようにしてもよい。そうすれば、抜止片３ｃと第１の外筐体２との位置関係を自由にすることができ、さらには第１の外筐体２および第２の外筐体３を一体に形成することもできる。すなわち、第１の外筐体２を省略し、第２の外筐体３が機器の筐体本体を構成するようにもできる。
【００３６】
また、キャップ本体１ｄの爪部１ｅが第２の外筐体３の被係合部３ｄと係合することによりキャップ１と第２の外筐体３とが固定される構造としたが、この構造に限るものではない。例えばキャップ本体１ｄの裏側のピンを第２の外筐体３に設けられた穴に係合させて固定する方法や、キャップ本体１ｄが凹部３ｅに嵌まり込むこと自体によって固定する方法、キャップ本体１ｄと第２の外筐体３とを面ファスナーや磁石等で固定する方法等でもよい。
【産業上の利用可能性】
【００３７】
本実施の形態に係るキャップ構造は、キャップのちぎれや抜けによる紛失を防止することができ、ユーザーの開閉動作を容易にすることができるため、機器の外部端子を保護するために本体側に取り付けられて保持される外部端子のキャップ等としても有用である。また、ビデオカメラ以外の各種機器にも同様な構造を適用可能である。
【符号の説明】
【００３８】
１  キャップ
１ａ  舌片部
１ｂ  長穴部
１ｂ１  引き出し用穴部
１ｂ２  固定用穴部
１ｃ  突起部
１ｄ  キャップ本体
１ｅ  爪部（係合部）
２  第１の外筐体
２ａ  外部端子
２ｂ  第１の端子差込穴
３  第２の外筐体
３ａ  第２の端子差込穴
３ｂ  切欠穴
３ｃ  抜止片
３ｄ  被係合部
３ｅ  凹部
【図１】
2010238660.tif 000003
【図２Ａ】
2010238660.tif 000004
【図２Ｂ】
2010238660.tif 000005
【図３】
2010238660.tif 000006
【図４】
2010238660.tif 000007
【図５】
2010238660.tif 000008
【図６】
2010238660.tif 000009
【図７】
2010238660.tif 000010
【図８】
2010238660.tif 000011
【図９】
2010238660.tif 000012